(57)【特許請求の範囲】
【請求項１】
複数の垂直の支柱、及び、これら支柱同士を接続する横梁（１６）を有する保管棚と、
少なくとも２本のＵ形材レール（１２）、及びこのＵ形材レールに直交するように延びる複数のＣ形材レール（１１）を有する載置枠との組み合わせとしての保管器具であって、
Ｃ形材レール（１１）は、Ｕ形材レール（１２）の中央ウェブ部（１５）に接続されたフランジ（１４）を有し、
載置枠における２本のＵ形材レール（１２）間の間隔は、これらＵ形材レール（１２）が、保管棚における支柱同士をそれぞれ接続する２つの横梁（１６）の間に、ちょうど嵌まり込むように寸法決めされている保管器具。
【請求項２】
保管棚における前方の支柱同士を接続する横梁（１６）及び後方の支柱同士を接続する横梁（１６）の内側には、載置枠における前方及び後方のＵ形材レール（１２）が、これら横梁（１６）にそれぞれ近接して置かれ、これにより、載置枠が棚の奥行き方向に移動するのが実質上防止されるように寸法決めされていることを特徴とする請求項１に記載の保管器具。
【請求項３】
Ｃ形材レール（１１）のフランジ（１４）が、Ｕ形材レール（１２）における中央ウェブ部（１５）にネジ止めされており、
少なくとも数本のＣ形材レール（１１）における両方のフランジ（１４）が、Ｕ形材レール（１２）にネジ止めされている請求項１または２に記載の保管器具。
【請求項４】
Ｃ形材レール（１１）における中央ウェブ部に、穴が開けられており、
少なくとも数個の穴（１７）には、Ｃ形材レール（１１）における、Ｕ形材レール（１２）とは逆側の表面から突き出した穴縁部（１８）が備えられる請求項１〜３のいずれかに記載の保管器具。
【請求項５】
穴（１７）が、Ｃ形材レール（１１）の中央ウェブ部の全面に、複数の列をなすように設けられ、
Ｃ形材レール（１１）の中央ウェブ部における幅方向両側の縁に沿った穴（１７）には、穴縁部（１８）が備えられることを特徴とする請求項４に記載の保管器具。
【請求項６】
各Ｃ形材レール（１１）は、両端が、横梁（１６）を越えて所定の長さだけ延びることを特徴とする請求項１〜５のいずれかに記載の保管器具。
【請求項７】
２本のＣ形材レール（１１）間の間隔が、Ｕ形材レール（１２）の各端部の近傍にて、載置枠の中央領域におけるよりも小さい請求項１〜６のいずれかに記載の保管器具。
【発明の詳細な説明】
【技術分野及び背景技術】
【０００１】
保管棚にパレットを収納するためには、通常、棚の奥行き方向へと延びる複数の桟部材が用いられる。これら桟部材は、それぞれ、棚の横梁の上に載せられる。桟部材上へと、パレットが、充分にきちんと、かつ垂直に降ろされないと、桟部材がズレ動かされ、パレットを適切に支持しないおそれがある。
【０００２】
ドイツ特許出願公開DE4301475A1より公知となっている保管棚用の支持構造においては、パレットを収納するための、特別な形状の形材の梁が、棚の横梁に固定されて接続される。
【０００３】
国際公開WO2009/114256A1は、金属の形材から作られたパレットを開示する。
【先行技術文献】
【特許文献】
【０００４】
【特許文献１】ドイツ特許出願公開DE2433806A1
【特許文献２】国際公開WO2009/114256A1
【発明の概要】
【発明が解決しようとする課題】
【０００５】
請求項１に記載の載置枠によって課題の解決が図られる。保管物品の収納に役立つＣ形材レールと、これに対して垂直に伸びるＵ形材レールとが固定されて接続されることにより、これらが1つのユニットをなす。このユニットは、棚の横梁上に簡単な具合に載せ置くことができる。また、Ｕ形材レール同士の間隔を適切に選択するならば、Ｃ形材レールが棚の奥行き方向に事実上ズレ動き不能であるという配置構成を、確実に実現できる。
【０００６】
請求項２の形態であると、載置枠を現場で組み立てることができる。これは輸送費を減少させる。請求項３の解決手段は、載置枠が平行四辺形に歪むのを抑える。
【０００７】
請求項４の改良形態は、材料及び重量の節減を実現するだけでなく、安全対策をもなす。請求項５の実施形態により、同時に、保管物品のずれ動きが妨げられる。
【０００８】
請求項６に記載の構成であると、載置枠を立体的に固定するということが実現され、保管物品を支持するＣ形材レールは、棚の所与の奥行きを超えて延びることがない。
【０００９】
請求項７の解決手段は、パレットが傾斜して降ろされた場合に、載置枠の安定性にとり好ましい。
【００１０】
請求項８に記載された、棚との組み合わせにおいては、載置枠を、棚の奥行き方向にずれ動かないように安定に保持することを、確実に実現する。
【図面の簡単な説明】
【００１１】
【図１】載置枠の平面図である。
【図２】図１における下方から見た、載置枠の側面図である。
【図３】図１における左から見た側面図である。
【図４】Ｃ形材レールの拡大端面図である。
【図５】Ｃ形材レールにおける、穴が開けられた部分についての拡大断面図である。
【発明を実施するための形態】
【００１２】
本発明の一実施例について、添付図面を参照しつつ、以下に、詳細に説明する。
【００１３】
図に示した載置枠は、互いに平行に延びる複数（図示の実施例では５本）のＣ形材レール１１と、これに対して垂直に延びる２本のＵ形材レール１２とからなる。１３で指し示された位置にて、Ｃ形材レール１１における、互いに向き合うフランジ（図４）が、ボルト及びナットでもって、Ｕ形材レール１２における、図２で上方側に位置する部分である中央ウェブ部１５に接続される。
【００１４】
図３の側面図では、保管棚の２本の横梁１６が、断面図で示される。載置枠におけるＵ形材レール１２同士の間隔は、次のような寸法となるように決められる。すなわち、Ｕ形材レール１２が、棚の横梁１６の内側に非常に近接して置かれることとなり、これにより、載置枠が棚の奥行き方向に移動するのが実質上防止されるように寸法が決められる。このことは、同時に、載置枠を、次のような具合にのみ、横梁１６上に載せことができるようにするということを実現する。すなわち、特にはパレットであるところの保管物品を収納するのに役立つＣ形材レール１１が、棚の奥行き方向に延び、載置枠の全体が、その配置平面中にて、適切な角度方向を向くように保持されるという具合にのみ、横梁１６上に載せことができるようになっている。また、Ｕ形材レール１２は、Ｃ形材レール１１が棚の奥行き方向で横梁１６を越えて延びる量を決定する。これにより、次のことが確実に実現される。すなわち、Ｃ形材レール１１が、棚の全体のために備えられたスペース内に置かれるということを確実にする。
【００１５】
図１及び図２に示された実施例によると、Ｕ形材レール１２の両端近傍には、それぞれ、２本のＣ形材レール１１が、互いにほぼ隣接するようにして配置されている。一方、載置枠の中央の領域では、Ｃ形材レール１１間の間隔が、より大きくなっている。これにより、載置枠における左右両側の領域は、高い剛性を有している。このことから、パレットが傾いて降ろされた場合にも、載置枠における突き当てられる領域にて、充分な耐荷重が付与されている。
【００１６】
Ｃ形材レール１１の中央ウェブ部には、複数の穴１７が備えられる。これらの穴１７は、載置枠の材料使用及び重量を減少させるだけでなく、特には、スプリンクラー水を通過させることにより防火対策としての役割も果たす。
【００１７】
図４及び図５に示すように、一部の穴１７には、上方へと向かって型押し・打ち抜き加工が施されている。これにより、Ｃ形材レール１１における、Ｕ形材レール１２とは逆側の表面から突き出る穴縁部１８を形成している。この穴縁部１８は、載置枠上に保管される物品のずれ動きを防止するか、または、少なくとも妨げる。
【符号の説明】
【００１８】
１１…Ｃ形材レール；    １２…Ｕ形材レール；            １４…フランジ；
１５…中央ウェブ部；    １６…横梁；    １７…穴；      １８…リム
【図１】
0005567207.tif 000002
【図２】
0005567207.tif 000003
【図３】
0005567207.tif 000004
【図４】
0005567207.tif 000005
【図５】
0005567207.tif 000006